(57)【要約】 【課題】両側に座枠杆を備えた座面部１と、座面部の左右座枠杆の前方に中間部分を枢結した前脚２と、前記前脚の枢結部と同一軸位置に枢結して座面部下後方へ突出する適宜長さを備えた後脚３と、座面部の左右座枠杆の後方に中間下方部分を枢結した背凭れ部４と、前脚頂部と背凭れの中間上方部分に枢結して架設した肘掛部５と、後脚と背凭れ脚の適宜位置間を連結するリンク部６とを備えて構成され木製折畳み椅子において、座面が低いローチェアを実現できる構造に改良する。【解決手段】背凭れ部４を、背凭れ４２を形成すると共に、開脚使用時に接地状態となる脚長として背凭れ脚４３を備えさせた。【選択図】図１
2019063423.tif 000002
【特許請求の範囲】
【請求項１】
両側に座枠杆を備えた座面部と、座面部の左右座枠杆の前方に中間部分を枢結した前脚と、前記前脚の枢結部と同一軸位置に枢結して座面部下後方へ突出する適宜長さを備えた後脚と、座面部の左右座枠杆の後方に中間下方部分を枢結し、開脚使用時に接地状態となる脚長を有することで、背凭れ及び背凭れ脚を備える背凭れ部と、前脚頂部と背凭れの中間上方部分に枢結して架設した肘掛部と、後脚と背凭れ脚の適宜位置間を連結するリンク部とを備えて構成してなることを特徴とする木製折畳み椅子。
【請求項２】
背凭れ脚に、開脚使用時において後脚上面と当接する係合横杆を設けてなる請求項１記載の木製折畳み椅子。
【請求項３】
各脚部材を同一厚の木板杆を採用し、前脚と背凭れ部を座枠杆の外側面に位置させ、後脚を座枠杆の内側面に位置させて枢結し、リンク部を後脚と背凭れ脚の間に位置させて、各々と枢結してなる請求項１又は２記載の木製折畳み椅子。
【発明の詳細な説明】
【技術分野】
【０００１】
本発明は、木製折畳み椅子に関するものである。
【背景技術】
【０００２】
折畳み椅子の折畳み構造は種々知られているが、本件発明は特許文献１に示された基本構造の折畳み椅子の改良に係るものである。対象となる折畳み椅子は、座面部の前方両側で枢結した前脚と後脚で座面部を支持すると共に、座面部後方両側に枢結した背凭れ部の下端を、後方へ傾斜開脚した後脚に載置して座面部の荷重を受ける構造であって、安定した開脚（使用状態）を得るために、更に前脚頂部と背凭れ部の中間に枢結して架設した肘掛部を設け、スムーズな折り畳み動作（開閉脚）を行うために、背凭れ部下端と後脚との間をリンク部で連結しているものである。
【先行技術文献】
【特許文献】
【０００３】
【特許文献１】特開２００２−１６５６６６号公報。
【発明の概要】
【発明が解決しようとする課題】
【０００４】
前記した前脚と、背凭れ部が載置する後脚とのみが開脚接地して使用状態となる折畳み椅子においては、座面が低いローチェアに形成すると、後脚の傾斜角度（接地面との角度）が小さくなり、これに伴って座面部後方部分の荷重が背凭れ部を介して後脚に加わる際に、後脚に直交する分力（後脚を折損する方向に加わる力）が大きくなり、後脚の耐久力に問題が生ずる。
【０００５】
そこで本発明は座面を低くしても十分に耐久力を得ることができ、ローチェアを実現可能とした木製折畳み椅子を提案したものである。
【課題を解決するための手段】
【０００６】
本発明に係る木製折畳み椅子は、両側に座枠杆を備えた座面部と、座面部の左右座枠杆の前方に中間部分を枢結した前脚と、前記前脚の枢結部と同一軸位置に枢結して座面部下後方へ突出する適宜長さを備えた後脚と、座面部の左右座枠杆の後方に中間下方部分を枢結し、開脚使用時に接地状態となる脚長を有することで、背凭れ及び背凭れ脚を備える背凭れ部と、前脚頂部と背凭れの中間上方部分に枢結して架設した肘掛部と、後脚と背凭れ脚の適宜位置間を連結するリンク部とを備えて構成してなることを特徴とするものである。
【０００７】
而して前記の木製折畳み椅子は、前脚と背凭れ部と座枠杆と肘掛部の四辺形リンクで各部が動作すると共に、リンク部で後脚と背凭れ脚の動作が抑止されており、前後脚を開脚すると、前後脚及び背凭れ脚が接地して使用状態となり、肘掛杆を背凭れに添うように回動すると、これに伴って座面部の前方が前脚とともに持ち上がり、後脚も背凭れに添うように回動して、全体が偏平状に折り畳まれるものである。
【０００８】
特に座面を低くしても、座面後方部分の荷重は、起立状態の背凭れ脚と、リンク部を介する傾斜状態の後脚で負担することになり、後脚に過度の負担が加わらないので、ローチェア―を実現できる。
【０００９】
また本発明に係る木製折畳み椅子は、特に背凭れ部に、開脚使用時において後脚上面と当接する係合横杆を設けてなるもので、係合横杆が左右の後脚上に載置され、使用時の開脚状態が安定する。
【００１０】
また本発明に係る木製折畳み椅子は、各脚部材を同一厚の木板杆を採用し、前脚と背凭れ部を座枠杆の外側面に位置させ、後脚を座枠杆の内側面に位置させて枢結し、リンク部を後脚と背凭れ部の間に位置させて、各々と枢結してなるもので、同一規格の部材を使用することで、製造効率及びコストダウンを図ることができる。
【発明の効果】
【００１１】
本発明の構成は上記のとおりで、６本脚を採用することで後脚の負担が軽減され、ローチェアを実現できる構造としたものである。
【図面の簡単な説明】
【００１２】
【図１】本発明の実施形態の全体斜視図（使用状態）。
【図２】同側面図。
【図３】同折畳み経過途中の説明図で（イ）は斜視図、（ロ）は側面図。
【図４】同図（折畳み経過が進行した状態）。
【図５】同折畳まれた状態の説明図で（イ）は斜視図、（ロ）は側面図。
【発明を実施するための形態】
【００１３】
次に本発明の実施形態について説明する。実施形態に示した折畳み椅子は、フレーム構成部材（各脚部材）に同一厚の木板杆を採用してなり、その構成は座面部１と、左右の前脚２及び後脚３と、背凭れ部４と、肘掛部５と、リンク部６で構成されているものである。
【００１４】
座面部１は、座枠杆１１で矩形枠を形成し、縦横に座布１２，１３を張着したものである。
【００１５】
前脚２は、座面部１の左右の座枠杆１１の外側前方（前後中間より前方という趣旨）に、中間部分を枢結（前脚枢結部２１）したもので、左右が連動するように下端において左右前脚間を前脚横杆２２で連結固定してなる。
【００１６】
後脚３は、その先端を座枠杆１１の内側面における枢結部２１と同一軸位置に枢結したしたもので、開脚使用時に後端が座面部１の下後方へ突出する長さを備えたものである。更に左右が連動するように下端において左右後脚間を後脚横杆３１で連結固定してなる。
【００１７】
背凭れ部４は、左右座枠杆の後方両外側に枢結（座枠枢結部４１）し、座枠枢結部４１の上方部分は背布を帳着して背凭れ４２に形成し、座枠枢結部４１の下方部分は、開脚使用時に接地する背凭れ脚４３としたものである。更に背凭れ４２に補強横杆４４を架設すると共に、背凭れ脚４３には、開脚使用時において後脚３の上面と当接する係合横杆４５を設けてなる。
【００１８】
肘掛部５は、前脚２の頂部と背凭れ４２の中間部分との間に、それぞれ枢結（前方枢結部５１、後方枢結部５２）して架設したものである。
【００１９】
リンク部６は、開脚使用時における後脚３と背凭れ脚４３の交差箇所近傍において、後脚３と背凭れ脚４３とにそれぞれ枢結して連結したものである。
【００２０】
而して前記の実施形態に示した木製折畳み椅子は、前脚２と後脚３とを開脚すると、それに伴って前脚２と背凭れ部４と座枠杆１１と肘掛部５の四辺形リンクで各部が動作して、前脚２と後脚３と背凭れ脚４３が接地して使用状態となるもので、当該時に係合横杆４５が左右の後脚３上に当接載置して安定することになる。
【００２１】
特に本折畳み椅子は、この使用状態において、６脚で接地することになり、座面部１を傾斜状態で支持する後脚３に、座面部１からの荷重負担が軽減されることになり、座面を低くしたローチェアにも対応できるものとした。
【００２２】
使用状態（図１，２の状態）から座面部１の前方部分を持ちあげて背凭れ４２に添わせるように回動すると、それに伴って後脚３や肘掛部５が回動し（図３，４）、図５に示すように全体が偏平状に折り畳まれるものである。
【符号の説明】
【００２３】
１      座面部
１１    座枠杆
１２，１３    座布
２      前脚
２１    前脚枢結部
２２    前脚横杆
３      後脚
３１    後脚横杆
４      背凭れ部
４１    座枠枢結部
４２    背凭れ
４３    背凭れ脚
４４    補強横杆
４５    係合横杆
５      肘掛部
５１    前方枢結部
５２    後方枢結部
６      リンク部
【図１】
2019063423.tif 000003
【図２】
2019063423.tif 000004
【図３】
2019063423.tif 000005
【図４】
2019063423.tif 000006
【図５】
2019063423.tif 000007